(57)【要約】【課題】  放電灯をソケットに接続する際の放電灯の回転を放電灯の外径によらず抑制することができる照明器具を提供する。【解決手段】  透光性を有する材料からなり放電灯Ｌの発光部を囲む円筒形状のシリンダ１と、それぞれ放電灯Ｌに接続されるソケット２と、それぞれソケット２を収納しシリンダの両端を閉塞する２個のホルダ３と、放電灯Ｌがソケット２に接続される際に放電灯Ｌをガイドするガイド体４とを備える。ガイド体４の内周面に、それぞれ他の部位よりも内側に突出する６個のガイド突起４３を、６０度ずつ位置をずらして設けた。ソケット２に放電灯Ｌを接続する際には、放電灯Ｌの外径によらず２個のガイド突起４３によって放電灯Ｌがガイドされることにより、放電灯Ｌの回転が抑制される。従って、ガイド突起４３を設けない場合に比べ、放電灯Ｌをソケット２に接続する作業が容易となる。【選択図】図１
2006244965.tif 000002
【特許請求の範囲】
【請求項１】
透光性を有する材料によって円筒形状に形成され直管型の放電灯の発光部を囲むシリンダと、それぞれ放電灯の口金が接続される２個のソケットと、それぞれ１個のソケットを収納するとともにシリンダの両端の開口を覆う２個のホルダと、
ソケットよりもシリンダの軸方向の中央に近い位置に保持され、それぞれシリンダの内周面よりも内側に突出し放電灯の端子がソケットに接続されるときに放電灯をガイドする複数個のガイド突起を有するガイド体とを備え、
ガイド突起は、シリンダの中心軸を通る平面に関して対称に配置されていることを特徴とする照明器具。
【請求項２】
ガイド突起がシリンダの全周にわたって等間隔に配置されていることを特徴とする請求項１記載の照明器具。
【請求項３】
ガイド体がガイド突起を６個有することを特徴とする請求項２記載の照明器具。
【発明の詳細な説明】
【技術分野】
【０００１】
本発明は、放電灯が密封される照明器具に関するものである。
【背景技術】
【０００２】
従来から、放電灯が密封されるいわゆる防爆形の照明器具が提供され、可燃ガスが充満する可能性のある場所での照明に用いられている（例えば、特許文献１参照）。
【０００３】
この種の照明器具として、例えば図９（ａ）（ｂ）に示すものがある。この照明器具は、透光性を有する材料によって円筒形状に形成され直管型の例えば蛍光灯のような放電灯Ｌの発光部を囲むシリンダ１と、それぞれ放電灯Ｌの口金Ｌ１が接続される２個のソケット２（１個のみ図示）と、それぞれ１個のソケット２を収納するとともにシリンダ１の両端の開口を覆う２個のホルダ３（１個のみ図示）と、それぞれ環形状に形成されてホルダ３においてソケット２よりもシリンダ１の軸方向の中央に近い位置に保持され、放電灯Ｌがソケット２に接続されるときに放電灯Ｌをガイドする２個のガイド体４（１個のみ図示）とを有する発光ブロック１０を備える。ホルダ３とシリンダ１との間の隙間は、例えばパッキンやＯリングやグリスなどの周知の手段で閉塞される。以下、上下左右は図９（ａ）を基準として説明する。つまり、シリンダ１の軸方向を左右方向と呼ぶ。
【０００４】
発光ブロック１０の上側には、例えば金属板からなり少なくとも下面が光を反射する反射板５が取り付けられている。反射板５は、例えば各ホルダ３にそれぞれねじ止めされることによって発光ブロック１０に結合する。また、反射板５の上方には安定器（図示せず）が配置される。
【０００５】
ホルダ３は、軸方向が左右方向である円筒形状であって一方の開口にシリンダ１が結合する本体部３１と、本体部３１に結合して本体部３１の他方の開口を閉塞する蓋部３２とからなる。本体部３１と蓋部３２とは、例えば本体部３１の内周面に設けられたねじ溝に蓋部３２の外周面に設けたねじ山が螺合することによって互いに結合している。本体部３１の上側には、安定器に接続される電線Ｃが挿通される貫通穴３１ａを上下に貫設してある。本体部３１の外周面には、貫通穴３１ａの開口の全周にわたって囲む筒状突起３１ｂを外側へ突設してある。貫通穴３１ａは、電線Ｃが挿通されたキャップ３３で閉塞される。キャップ３３は、例えば弾性を有する材料からなり筒状突起３１ｂの内周面に全周にわたって弾接する栓体３３ａと、例えば金属板からなり筒状突起３１ｂの上側の開口を覆って反射板５とともにホルダ３の本体部３１の上面にねじ止めされるカバー体３３ｂとからなる。
【０００６】
ソケット２は、例えば金属のような弾性を有する導電材料からなる２個の端子ばね２１（１個のみ図示）と、絶縁材料からなり各端子ばね２１を収納したソケットハウジング２２とを備える。
【０００７】
ソケットハウジング２２は、図９（ａ）の紙面奥行方向に２個並べて設けられそれぞれ左右のうちシリンダ１から離れた側が開口した収納部２２ａを有し、各端子ばね２１はそれぞれ収納部２２ａに収納されている。収納部２２ａの底面すなわちシリンダ１側には、放電灯Ｌの口金Ｌ１に設けられた端子ピンＬ２が挿通されるピン挿通穴２２ｂを貫設してある。ピン挿通穴２２ｂのシリンダ１側の開口付近の内周面は、開口に近付くほど内径を大きくするように全周にわたって傾斜している。
【０００８】
端子ばね２１は、収納部２２ａの底面にねじ止めされる固定部２１ａと、固定部２１ａとともにＪ字形状となるように固定部２１ａよりも左右方向のうちシリンダ１に近付く方向（図の左方向）へ突出し先部がピン挿通穴２２ｂに臨んで左右にばね性を有する第１の接触部２１ｂと、固定部２１ａの上端から左右方向であってシリンダ１から離れる方向（図の右方向）へ突出した連結部２１ｃと、固定部２１ａとともにＵ字形状となるように連結部２１ｃの先端から上方へ突出し一部がソケットハウジング２２の上側であってキャップ３３の下側に露出する第２の接触部２１ｄとからなる。電線Ｃに電気的に結合しキャップ３３の下方に突出する接触ピン（図示せず）が第２の接触部２１ｄに接触導通することにより端子ばね２１は電線Ｃに電気的に接続される。さらに、ピン挿通穴２２ｂから挿入された端子ピンＬ２が第１の接触部２１ｂに接触導通することにより、端子ピンＬ２と電線Ｃとは端子ばね２１を介して電気的に接続される。
【０００９】
ホルダ３の本体部３１の内周面においてシリンダ１が接続される側（図９（ａ）の左側）の端部には、本体部３１の端側の内径をシリンダ１の外径よりも大きくするとともに本体部３１の中央側の内径をシリンダ１の外径よりも小さくする段３１ｃを設けてある。
【００１０】
ガイド体４は、全体として軸方向を左右方向とする円環形状であって、例えばホルダ３の内周面に嵌合することによって保持されホルダ３の段３１ｃとシリンダ１の端面との間に挟まれる鍔部４１と、鍔部４１の内側に設けられ軸方向の寸法が鍔部４１よりも大きく外周面がシリンダ１の内周面に嵌合するガイド部４２とを有する。つまり、ガイド部４２は、シリンダ１の全周にわたってシリンダ１の内周面よりも内側に突出する。ガイド部４２においてシリンダ１中央側（図９（ａ）の左側）の開口付近の内周面には、該開口に近付くほどガイド部４２の内径を大きくする傾斜面４２ａを設けてある。
【００１１】
上記の発光ブロック１０に放電灯Ｌを取り付ける際には、例えば、まず図示しない左側のホルダが取り外された状態で、右側のホルダ３に接続されたシリンダ１に放電灯Ｌを挿入する。放電灯Ｌがガイド体４に至ると、放電灯Ｌがガイド体４の傾斜面４２ａによってガイドされることにより端子ピンＬ２がピン挿通穴２２ｂの開口に誘導され、続いて、ピン挿通穴２２ｂの内面に設けられた傾斜面に端子ピンＬ２がガイドされることにより、右側の口金Ｌ１の端子ピンＬ２が端子ばね２１の第１の接触部２１ｂに至る。次に、図示しない左側のソケットに放電灯Ｌの左側の口金Ｌ１を接続するとともに、シリンダ１を図示しない左側のホルダに接続する。ここで、各ソケット２のピン挿通穴２２ｂにおいてシリンダ１から離れた側の端部の内径は端子ピンＬ２の外径よりも僅かに大きい程度としてある。従って、各端子ピンＬ２がそれぞれ端子ばね２１に接触導通した状態では、各端子ピンＬ２がそれぞれピン挿通穴２２ｂの内面に支持されることにより、放電灯Ｌは中心軸をシリンダ１の中心軸に略一致させる位置で保持される。ここで、右側のソケット２は左右にばね性を有するコイルばね３４を介してホルダ３に結合しており、このコイルばね３４のばね力により放電灯Ｌはソケット２の間に挟持される。
【特許文献１】実願昭６１−１８２４２０号（実開昭６３−８５８０７号）のマイクロフィルム
【発明の開示】
【発明が解決しようとする課題】
【００１２】
従来の照明器具では、放電灯Ｌが軸方向（図９（ａ）の左右方向）から見て１点のみでしかガイド体４１に接触しないため、放電灯Ｌをソケット２に接続する際に放電灯Ｌが周方向に回転しやすく、端子ピンＬ２の位置とピン挿通穴２２ｂの位置とを合わせにくいという問題があった。ガイド部４２の内径を放電灯Ｌの外径に近くすれば上記の回転は抑制されるが、この場合、放電灯Ｌの外径が比較的に大きい例えば３２．５ｍｍであればガイド部４２の内径が比較的に大きい図９のガイド体４を用い、放電灯Ｌの外径が比較的に小さい例えば２５．５ｍｍであればガイド部４２の内径が比較的に小さい図１０のガイド体４を用いるといったように、放電灯Ｌの外径に応じて内径が互いに異なる複数種類のガイド体４を使い分ける必要があった。
【００１３】
本発明は上記事由に鑑みて為されたものであり、その目的は、放電灯をソケットに接続する際の放電灯の回転を放電灯の外径によらず抑制することができる照明器具を提供することにある。
【課題を解決するための手段】
【００１４】
請求項１の発明は、透光性を有する材料によって円筒形状に形成され直管型の放電灯の発光部を囲むシリンダと、それぞれ放電灯の口金が接続される２個のソケットと、それぞれ１個のソケットを収納するとともにシリンダの両端の開口を覆う２個のホルダと、ソケットよりもシリンダの軸方向の中央に近い位置に保持され、それぞれシリンダの内周面よりも内側に突出し放電灯の端子がソケットに接続されるときに放電灯をガイドする複数個のガイド突起を有するガイド体とを備え、ガイド突起は、シリンダの中心軸を通る平面に関して対称に配置されていることを特徴とする。
【００１５】
この発明によれば、放電灯をソケットに接続する際、放電灯が少なくとも２個のガイド突起によってガイドされる状態で作業することができるから、放電灯の回転が抑制される。従って、ガイド突起を設けない場合に比べ、放電灯をソケットに接続する作業が容易となる。また、上記平面が鉛直面となる向きで放電灯をソケットに接続することにより、ガイド突起が非対称に配置されている場合に比べ、放電灯の姿勢をより安定させることができるから、放電灯のソケットへの接続がより容易となっている。
【００１６】
請求項２の発明は、請求項１の発明において、ガイド突起がシリンダの全周にわたって等間隔に配置されていることを特徴とする。
【００１７】
この発明によれば、ガイド体の向きがシリンダの周方向にずれていても、放電灯の回転を抑制する効果が期待できる。
【００１８】
請求項３の発明は、請求項２の発明において、ガイド体がガイド突起を６個有することを特徴とする。
【発明の効果】
【００１９】
本発明は、それぞれシリンダの内周面よりも内側に突出し放電灯の端子がソケットに接続されるときに放電灯をガイドする複数個のガイド突起を、シリンダの中心軸を通る平面に関して対称に配置したので、放電灯をソケットに接続する際、放電灯が少なくとも２個のガイド突起によってガイドされる状態で作業することができるから、放電灯の回転が抑制される。また、上記平面が鉛直面となる向きで放電灯をソケットに接続することにより、ガイド突起が非対称に配置されている場合に比べ、放電灯の姿勢をより安定させることができるから、放電灯のソケットへの接続がより容易となっている。
【発明を実施するための最良の形態】
【００２０】
以下、本発明を実施するための最良の形態について、図面を参照しながら説明する。なお、本実施形態の基本構成は従来例と共通であるので、共通する部分については同じ符号を付して説明を省略する。
【００２１】
本実施形態は、図２及び図３に示すように、透光性を有する材料によって円筒形状に形成され直管型の放電灯Ｌの発光部を囲むシリンダ１と、それぞれ放電灯Ｌの口金Ｌ１が接続される２個のソケット２と、それぞれ１個のソケット２を収納するとともにシリンダ１の両端の開口を覆う２個のホルダ３と、それぞれ環形状に形成されてホルダ３においてソケット２よりもシリンダ１の軸方向の中央に近い位置に保持され放電灯Ｌがソケット２に接続されるときに放電灯Ｌをガイドする２個のガイド体４とをそれぞれ有する２個の発光ブロック１０を備える。また、発光ブロック１０の上側に取り付けられ少なくとも下面が放電灯Ｌの光を反射する反射板５と、安定器（図示せず）が収納され反射板５の上側に取り付けられる器具本体６を備える。器具本体６は、例えば天井面のような施工面に取り付けられる。
【００２２】
器具本体６は、円筒形状のシリンダ部６１と、シリンダ部６１の両端に結合して閉塞する２個のホルダ部６２とからなる。各ホルダ部６２は、それぞれ、シリンダ部６１の軸方向の両側に開口を有し一方の開口にシリンダ部６１が接続される本体部６２ａと、本体部６２ａの他方の開口を閉塞する蓋部６２ｂとからなる。各ホルダ部６２の本体部６２ａは、それぞれ例えばねじ止めによって反射板５に結合している。さらに、反射板５には、反射板５とともに２個の発光ブロック１０をシリンダ１の周方向において囲み各発光ブロック１０を保護する金網７が取り付けられる。安定器は、例えば図４に示すケース６３に収納され、各ホルダ６２に両端を支持される基板６４に取り付けられた状態で、シリンダ部６１に収納される。
【００２３】
以下、本実施形態の特徴部分について説明する。図１，５，６に示すように、本実施形態において、一方（図１（ａ）の右側）のガイド体４のガイド部４２の内周面には、他の部位よりも内側に突出する６個のガイド突起４３を、６０度ずつ位置をずらして設けてある。つまり、ガイド突起４３は、シリンダ１の全周にわたって等間隔に設けられている。また、ガイド突起４３は、器具本体６が施工面に取り付けられたときのシリンダ１の中心軸を含む鉛直面に関して対称かつシリンダ１の中心軸の下側に偶数個のガイド突起４３が位置するように配置されている。さらに、ガイド突起４３においてシリンダ１側の端部は、傾斜面４２ａに連続するように傾斜させてある。
【００２４】
上記の発光ブロック１０に放電灯Ｌを取り付ける際には、例えば、図１（ａ）の左側のホルダ３をシリンダ１から取り外した状態で、シリンダ１と右側のホルダ３とが結合したものに図７（ａ）に示すように放電灯Ｌを挿入していく。すると、放電灯Ｌは、まず図７（ｂ）に示すように傾斜面４２ａによってガイドされ、次に図７（ｃ）に示すようにガイド突起４３によってガイドされ、端子ピンＬ２がピン挿通穴２２ｂに導かれて一方の口金Ｌ１がソケット２に接続される。次に、左側のソケット２に放電灯Ｌの他方の口金Ｌ１を接続するとともに、左側のホルダ３にシリンダ１を挿入し接続する。すると、放電灯Ｌはコイルばね３４のばね力を受けた右側のソケット２と左側のソケット２との間に挟持され、各端子ピンＬ２はそれぞれ端子ばね２１に接触導通する。
【００２５】
ここで、ガイド突起４３の突出寸法は、図７（ａ）〜（ｄ）のように放電灯Ｌの外径が想定される範囲内で最も大きい場合にもガイド突起４３によってガイドされた放電灯Ｌの端子ピンＬ２がピン挿通穴２２ｂに導かれる程度に小さく、かつ、図８（ａ）〜（ｄ）のように放電灯Ｌの外径が想定される範囲内で最も小さい場合にも放電灯Ｌがガイド突起４３以外でガイド体４の内周面に接触することなく２個のガイド突起４３によってガイドされる程度に大きくしてある。
【００２６】
また、ピン挿通穴２２ｂのシリンダ１側の開口径は、図８（ａ）〜（ｄ）のように放電灯Ｌの外径が想定される範囲内で最も小さい場合にもガイド突起４３によってガイドされた放電灯Ｌの端子ピンＬ２がピン挿通穴２２ｂに誘導される程度に大きくしてある。
【００２７】
上記構成によれば、ソケット２に放電灯Ｌを接続する際には、放電灯Ｌの外径によらず２個のガイド突起４３によって放電灯Ｌがガイドされる。つまり、ガイド突起４３を設けない従来例では放電灯Ｌが軸方向（図９（ａ）の左右方向）から見て１点のみでしかガイド体４１に接触しないのに対し、本実施形態では放電灯Ｌは軸方向（図７（ａ）〜（ｄ）の左右方向）から見てガイド体４に２点で接触することになるから、放電灯Ｌの回転が抑制される。従って、ガイド突起４３を設けない場合に比べ、放電灯Ｌをソケット２に接続する作業が容易となる。
【００２８】
また、ガイド突起４３は、器具本体６が施工面に取り付けられたときのシリンダ１の中心軸を含む鉛直面に関して対称に配置されているので、ガイド突起４３が前記鉛直面に関して非対称に配置されている場合に比べ、放電灯Ｌの姿勢がより安定するからソケット２への放電灯Ｌの接続がより容易となっている。
【００２９】
さらに、ガイド突起４３をシリンダ１の全周にわたって等間隔に設けたので、ガイド体４の周方向における向きがずれていても、放電灯Ｌの回転を防止する効果が期待できる。
【図面の簡単な説明】
【００３０】
【図１】本発明の実施形態の要部を示す図であり、（ａ）は正面断面図、（ｂ）は側面断面図、（ｃ）は一部破断した平面図である。
【図２】同上を示す斜視図である。
【図３】同上を示す分解斜視図である。
【図４】同上の器具本体及びその内部を示す分解斜視図である。
【図５】同上の要部を示す断面図である。
【図６】同上の要部を示す分解斜視図である。
【図７】同上の要部を示す断面図であり、（ａ）〜（ｄ）はそれぞれ放電灯をソケットに接続する過程における異なる段階を示す。
【図８】放電灯の外径が図７のものよりも小さい場合における同上の要部を示す断面図であり、（ａ）〜（ｄ）はそれぞれ放電灯をソケットに接続する過程における異なる段階を示す。
【図９】従来例の要部を示す図であり、（ａ）は正面断面図、（ｂ）は側面断面図である。
【図１０】別の従来例の要部を示す図であり、（ａ）は正面断面図、（ｂ）は側面断面図である。
【符号の説明】
【００３１】
１  シリンダ
２  ソケット
３  ホルダ
４  ガイド体
４３  ガイド突起
Ｌ  放電灯
【図１】
2006244965.tif 000003
【図２】
2006244965.tif 000004
【図３】
2006244965.tif 000005
【図４】
2006244965.tif 000006
【図５】
2006244965.tif 000007
【図６】
2006244965.tif 000008
【図７】
2006244965.tif 000009
【図８】
2006244965.tif 000010
【図９】
2006244965.tif 000011
【図１０】
2006244965.tif 000012